(57)【特許請求の範囲】
【請求項１】
皮膚面に接触させるヘッドと、
前記ヘッドが取り付けられた筐体と、
前記ヘッドに内蔵された超音波振動子とこの超音波振動子に高周波信号を付与する高周波信号発生回路とを少なくとも備えることにより、前記ヘッドを超音波振動させるヘッド振動機構と、
前記筐体における前記ヘッドの取付位置の近傍に埋設された永久磁石を備えることにより、前記ヘッドの近傍から磁界を発生させる磁界発生機構と、
前記磁界発生機構の磁力の作用する前記筐体上の部位に着脱自在に装着され、且つ磁性体を非磁性体に内蔵させて構成された磁性伝達部材と、を具備し、
前記高周波信号発生回路は、発生させるべき高周波信号の発振出力を、ある最大値と最小値との間で、時間の経過とともに連続的に繰り返し可変させ、
また、前記磁性伝達部材は、リング状に形成されており、その中央の開口部分に前記ヘッドを挿入するようにして装着され、且つこの装着時には前記磁性体と前記永久磁石とが対向する位置に配置される、
ことを特徴とするトリートメント装置。
【請求項２】
イオン導入用の電極として前記ヘッドを機能させるイオン導入機構をさらに備えることを特徴とする請求項１記載のトリートメント装置。
【請求項３】
前記ヘッドは、互いに固有振動数の異なる複数の種類のものが用意され、
さらに、前記複数の種類のヘッドが個別に且つ着脱自在に装着される前記筐体に設けられたヘッド装着部と、
前記筐体の前記ヘッド装着部に装着されたヘッドの種類を判別するヘッド判別機構とを備え、
前記ヘッド振動機構は、前記ヘッド判別機構による判別結果に基づいて、種類の判別されたヘッドをその固有振動数に対応する振動数で超音波振動させることを特徴とする請求項１記載のトリートメント装置。
【発明の詳細な説明】
【技術分野】
【０００１】
本発明は、美肌や痩身などの美容処理を施すためのトリートメント装置に関する。
【背景技術】
【０００２】
超音波振動子を内蔵する皮膚面接触用のプローブと、超音波振動子に高周波電力を供給する回路とを備え、皮膚面に供給すべき超音波振動の強度を所定の周期で可変することで、効果的な美容処理を実現できるようにした美容処理装置が知られている（例えば、特許文献１参照）。【０００３】
この種の美容処理装置は、顔や手脚の皮膚面に対し超音波振動を供給することで、皮膚表層の殺菌作用、毛穴に付着した皮脂や化粧液の残留物などを除去する清浄化作用、皮膚表層の血行を促進し皮膚組織を活性化させることや筋肉の緊張を解してシミ、シワを除去する作用など、各種美肌効果を発揮する。【０００４】
また、このような美容処理装置によって、身体の贅肉部分に超音波振動を供給することで、皮膚の深層部を発熱させて皮下脂肪を分解する痩身効果を得ることもできる。分解された皮下脂肪は、老廃物となって血管やリンパ管に吸収されて消滅することになる。
【特許文献１】特許第３３１２１１２号公報
【発明の開示】
【０００５】
ところで、超音波振動の強度を可変する上記文献の美容処理装置では、その美容処理によって期待できる美肌効果や痩身効果が、必ずしも十分であるとは言えず、そこで、このような美容処理効果のさらなる向上を図ることへの要請がある。
【０００６】
そこで本発明は、このような課題を解決するためになされたもので、血行の促進作用を得ることの可能な美容処理を含む複数の種類の美容処理を身体に相乗的に作用させることで、優れた美容処理効果を期待できるトリートメント装置の提供を目的とする。
【０００７】
上記目的を達成するために、本発明に係るトリートメント装置は、皮膚面に接触させるヘッドと、前記ヘッドを超音波振動させるヘッド振動機構と、前記ヘッドの近傍から磁界を発生させる磁界発生機構と、を具備することを特徴とする。
すなわち、本発明によれば、振動させたヘッドを通じて動的な刺激を皮膚面に与える機械的なマッサージ効果と、皮膚細胞内の血流に磁力を作用させることによる血行の促進効果との相乗的作用により、優れた美肌効果や痩身効果を得ることができる。
【０００８】
また、本発明に係るトリートメント装置は、前記ヘッド振動機構に代えて、イオン導入用の電極として前記ヘッドを機能させるイオン導入機構を備えることを特徴とする。
この場合、皮膚細胞内の血流に磁力を作用させることできることに加え、イオン導入により水溶性の有効成分を皮膚内部に浸透させることができるので、より効果的な美肌トリートメントを行うことができる。
【０００９】
さらに、本発明に係るトリートメント装置は、前記ヘッド振動機構に代えて、レーザ光を皮膚面に照射するレーザ照射機構を備えることを特徴とする。
この構成によれば、上述した皮膚細胞内の血流に磁力を作用させることによる血行の促進効果と、エネルギー密度の高い光であるレーザ光により皮膚組織を加温することで得られる新陳代謝の促進効果とを相乗的に付与することができるので、美肌処理効果のさらなる向上を図ることができる。
【００１０】
また、本発明に係るトリートメント装置は、前記ヘッド振動機構に代えて、皮膚面に通電による電気的な刺激を付与する通電刺激用電極として前記ヘッドを機能させる通電刺激機構を備えることを特徴とする。
この発明によれば、皮膚面へ与えられる電気的な刺激と、上述したように皮膚細胞内の血液の流れを改善させる磁力の作用とが相まって、より高い美肌処理効果を得ることができる。
【００１１】
また、本発明においては、前記磁界発生機構を、永久磁石又は電磁石を用いて構成することができる。ここで、永久磁石を採用する場合には、前記ヘッドを取り付けた筐体における前記ヘッドの取付部分の近傍に、この永久磁石を埋設することなどが望ましい。これにより、鉄粉などの塵埃が永久磁石の表面に付着してしまうことを防止できる。
【００１２】
さらに、本発明では、前記磁界発生機構の磁力の作用する前記筐体上の部位に着脱自在に装着され、且つ磁性体を非磁性体に内蔵させて構成された磁性伝達部材をさらに設けるようにしてもよい。また、前記磁性伝達部材は、環状に形成されており、その中央の開口部分に前記ヘッドを挿入するようにして装着される構成などが例示される。このような磁性伝達部材を適用することで、磁性伝達部材の表面に鉄粉などが付着してしまった場合でも、この磁性伝達部材を筐体側から取り外すことで、その磁性が失われ、クリーニングなどのメンテナンスを容易に行うことができる。
【００１３】
また、本発明のトリートメント装置においては、前記ヘッドは、互いに固有振動数の異なる複数の種類のものが用意され、さらに、前記複数の種類のヘッドが個別に且つ着脱自在に装着される前記筐体に設けられたヘッド装着部と、前記筐体の前記ヘッド装着部に装着されたヘッドの種類を判別するヘッド判別機構とを備え、前記ヘッド振動機構は、前記ヘッド判別機構による判別結果に基づいて、種類の判別されたヘッドをその固有振動数に対応する振動数で超音波振動させることを特徴とする。
つまり、この構成によれば、比較的高い周波数の振動を皮膚面に付与することが望ましい美肌処理と、比較的低い周波数の振動を皮膚面に供給することが有効である痩身処理とを、それぞれ適切な振動条件で行うことができる。
【図面の簡単な説明】
【００１４】
【図１】本発明の第１の実施形態に係るトリートメント装置を、ヘッド部分を分解して示す正面図。
【図２】図１のトリートメント装置を、ヘッド部分を分解して示す背面図。
【図３】図１のトリートメント装置を、ヘッド部分を分解して側面からみた断面図。
【図４】図１のトリートメント装置にフェイス美容処理用のヘッド部分が取り付けられた状態を詳細に示す図。
【図５】図１のトリートメント装置にボディ美容処理用のヘッド部分が取り付けられた状態を詳細に示す断面図。
【図６】図１のトリートメント装置の制御系を機能的に示すブロック図。
【図７】図１のトリートメント装置が備える高周波信号発生回路から出力される電圧を詳細に示す波形図。
【図８】本発明の第２の実施形態に係るトリートメント装置を、ヘッド部分を分解して示す正面図。
【図９】図８のトリートメント装置を、ヘッド部分を分解して側面からみた断面図。
【図１０】図８のトリートメント装置のヘッド部分が取り付けられた状態を詳細に示す断面図。
【図１１】図８のトリートメント装置の制御系を機能的に示す図。
【図１２】本発明の第３の実施形態に係るトリートメント装置にヘッド部分が取り付けられた状態を詳細に示す断面図。
【図１３】本発明の第４の実施形態に係るトリートメント装置を示す正面図。
【図１４】図１３のトリートメント装置を示す側面図。
【図１５】図１３のトリートメント装置の制御系を機能的に示すブロック図。
【発明を実施するための最良の形態】
【００１５】
以下、本発明の実施の形態を図面に基づき説明する。【００１６】
（第１の実施の形態）
図１は、本発明の第１の実施形態に係るトリートメント装置を、ヘッド部分を分解して示す正面図、図２は、このトリートメント装置を、ヘッド部分を分解して示す背面図、図３は、このトリートメント装置を、ヘッド部分を分解して側面からみた断面図である。また、図４は、このトリートメント装置にフェイス美容処理用のヘッド部分が取り付けられた状態を詳細に示す図、図５は、このトリートメント装置のボディ美容処理用のヘッド部分が取り付けられた状態を詳細に示す断面図である。さらに、図６は、このトリートメント装置の制御系を機能的に示すブロック図である。【００１７】
本実施形態に係るトリートメント装置１は、動的な刺激を皮膚面に与える機械的なマッサージ効果と、皮膚細胞内の血流に磁力を作用させることによる血行の促進効果とを相乗的に得ることできる装置であって、主に顔の表面に美容処理を施す美肌トリートメントと身体（ボディ）部分の皮下脂肪を除去する痩身トリートメントとを一台の装置で行えるハンディタイプの美容処理装置である。【００１８】
図１ないし図６に示すように、このトリートメント装置１は、装置本体の外郭を形成するケーシング２に対し、フェイス用のヘッド３とボディ用のヘッド５とが各々個別に且つ着脱自在に接続される。ケーシング２には、ユーザに把持されるハンドリング部（把持部）２ａがその一端部に形成されている。ケーシング２の他端部の前面（正面）には、ヘッド３、５をケーシング２に対し着脱するための雄ねじ部２ｂを備えたヘッド装着部２ｆが設けられている。すなわち、雄ねじ部２ｂは、図４及び図５に示すように、ヘッド３、５にそれぞれ設けられた雌ねじ部３ｂ、５ｂと螺合して、 ヘッド３（又はヘッド５）とケーシング２とを一体的に連結する。ここで、ヘッド３、５を着脱する機構は、ねじ込み式構造の他、爪などによる係合を利用した差し込み構造であってもよい。【００１９】
ここで、図１ないし図６に示すように、フェイス用のヘッド３は、振動板や電気絶縁性材料からなる基体から構成されている。この振動板は、ヘッド３に内蔵された超音波振動子３ａが発生する超音波振動を皮膚面に伝播する。また、ヘッド３の基端面には、雌ねじ部３ｂを中心として、同心円状に帯状電極３ｃ、３ｄ、３ｅが設けられている。この帯状電極３ｃ、３ｄ、３ｅは、ヘッド３の装着時にケーシング２側の円弧状電極２ｃ、２ｄ、２ｅとそれぞれ電気的に接続される。【００２０】
一方、ボディ用のヘッド５は、フェイス用のヘッド３よりも質量を大きく、つまり固有振動数を低くして構成されている。また、ヘッド５の内部には、そのヘッドの固有振動数に対応する振動特性を持つ超音波振動子５ａが内蔵されている。すなわち、互いに振動特性の異なるヘッド３、５を使い分けることで、トリートメントの効果を選択することができる。例えば、美肌トリートメントを行うときは、高い振動数の超音波を発生するヘッド３を適用し、痩身トリートメントを行うときは、低い振動数の超音波を発生するヘッド５を選択的に用いることになる。【００２１】
また、図２、図３及び図５に示すように、フェイス用のヘッド３と異なり、ボディ用のヘッド５には、帯状電極５ｃと、幅広の帯状電極５ｄとが設けられている。つまり、帯状電極５ｄは、ヘッド５の装着時にケーシング２側の円弧状電極２ｄ、２ｅを電気的に接続することになる。これにより、ケーシング２に内蔵されたメイン基板１６上の高周波信号発生回路１５は、ヘッド３とヘッド５とを識別することが可能になる。【００２２】
また、メイン基板１６上には、上記高周波信号発生回路１５の他、ＬＥＤランプ１２、プッシュスイッチ１０などが搭載されている。ＬＥＤランプ１２及びプッシュスイッチ１０は、ケーシング２の前面にその先端部分が露出するように配置されている。ＬＥＤランプ１２は、装置本体の電源のオン・オフを可視的に表示し、電源がオンになると点灯し、電源がオフになると滅灯する。プッシュスイッチ１０は、主電源のＯＮ／ＯＦＦを切り替えるためのスイッチである。すなわち、プッシュスイッチ１０が、電源ＯＦＦの状態で押下されると、電源がＯＮになり、高周波信号発生回路１５から高周波信号が出力される。一方、プッシュスイッチ１０が、電源ＯＮの状態で押下されると、電源がＯＦＦになり、高周波信号発生回路１５からの高周波信号の出力が停止する。【００２３】
次に、トリートメント装置１の制御系について主に図６に基づきその説明を行う。
すなわち、高周波信号発生回路１５は、高周波出力を発振する発振回路１７と、発振回路１７の発振出力を可変増幅する可変増幅回路１９と、発振回路１７及び可変増幅回路１９をそれぞれ制御するフェイス用制御回路１８及びボディ用制御回路２０とを備えている。可変増幅回路１９の一方の端子部分は、円弧状電極２ｃ、２ｄ、２ｅに電気的に接続されている。また、可変増幅回路１９の他方の端子部分は、アースされている。【００２４】
また、フェイス用のヘッド３は、内蔵された超音波振動子３ａの一方の端子部が、雌ねじ部３ｂに接続され、他方の端子部がアースされる。ボディ用のヘッド５は、内蔵された超音波振動子５ａの一方の端子部が、雌ねじ部５ｂに接続され、他方の端子部がアースされる。【００２５】
次に、高周波信号の発振周波数の切替機能及び高周波信号の発振出力の切替機能について説明する。
フェイス用制御回路１８は、ケーシング２に対しヘッド３が装着されたことを検出した場合、比較的高い周波数、例えば１ＭＨｚ付近の高周波信号が発振されるように発振回路１７を制御するとともに、可変増幅回路１９から比較的低出力、例えば皮膚面に対し０．１〜０．３Ｗ／ｃｍ２程度の発振出力になるように可変増幅回路１９を制御する。一方、ボディ用制御回路２０は、ケーシング２に対しヘッド５が装着されたことを検出した場合、比較的低い周波数、例えば５００〜８００ＭＨｚ程度の高周波信号が発振されるように発振回路１７を制御するとともに、可変増幅回路１９から比較的低出力、例えば皮膚面に対し０．４〜０．８Ｗ／ｃｍ２程度の発振出力になるように可変増幅回路１９を制御する。【００２６】
ここで、本実施形態のトリートメント装置１では、フェイス用のヘッド３は、共振周波数（固有振動数）が高くなるように、比較的小さいサイズで形成されている。一方、ボディ用のヘッド５は、共振周波数（固有振動数）が低くなるように、比較的大きいサイズ（ヘッド３よりも大きいサイズ）で形成されている。ここで、上記したように共振周波数（固有振動数）を設定する場合、個々のヘッド材料の硬度を適宜変更するようにしてもよい。【００２７】
すなわち、このような構成のトリートメント装置１では、フェイス用のヘッド３を用いた美肌トリートメントを行う場合、比較的高い周波数の超音波振動を小さい振動強度で皮膚面に供給される。一方、ボディ用のヘッド５を用いた痩身トリートメントを行う場合、比較的低い周波数の超音波振動を大きい振動強度で皮膚面に付与することができる。これにより、所望とするトリートメントの種類に応じた美容処理を好適に行うことができる。また、この場合、個々のヘッド３、５をケーシング２に装着する動作が、トリートメントの種類を設定する動作に連動することになるので、操作が容易となり、利便性の向上が図られている。【００２８】
さらに、トリートメント装置１では、比較的高い周波数の超音波振動を付与することが効果的である場合で、且つ額、鼻部、頬等の狭い領域で凹凸変化の激しい美肌対象部分（フェイス部分）に小さいサイズのヘッド３を必然的に適用できる。一方、比較的低い周波数の超音波振動を付与することが効果的である場合で、且つ皮下脂肪を除去するための処理面積の広い痩身対象部分（ボディ部分）に大サイズのヘッド５を適用できる。【００２９】
ここで、トリートメント装置１が備える高周波信号の発振出力の可変機能について図７を参照しつつその説明を行う。
すなわち、高周波信号発生回路１５は、高周波信号の発振出力を時間の経過とともに連続的に変化させる。ここで、図７は、高周波信号発生回路１５から出力される電圧を詳細に示す波形図である。【００３０】
詳述すると、フェイス用制御回路１８及びボディ用制御回路２０は、ヘッド３又はヘッド５の装置状態において、高周波信号を、所定の最高出力以下の値で連続的に変化させ、最大値と最小値の間をほぼ正弦波形状に繰り返し可変させる。この場合、最小値は、０（つまり超音波振動子の励起を止める状態）より大きい値に設定されていて、その周期は、例えば４〜１０秒で設定される。出力範囲は、美肌トリートメントにおいては、例えば０．１〜０．３Ｗ／ｃｍ２に設定され、一方、痩身トリートメントにおいては、例えば０．４〜０．８Ｗ／ｃｍ２に設定される。この構成により、肌の活性化を低下させる要因になる、いわゆるキャビテーション（活性酸素の発生により誘起される細胞の空洞化現象）の発生を抑えることができるので、肌の表皮から深部まで超音波振動を供給することができる。【００３１】
次に、本実施形態のトリートメント装置１に設けられた磁界発生機構について説明する。
この磁界発生機構としては、ケーシング２におけるヘッドの縁部を保持する部位、つまりヘッド装着部２ｆの近傍に例えば二つの磁石（永久磁石）９が埋設されている。さらに、この磁界発生機構として、磁石９の磁力の作用するケーシング２上の部位に着脱自在に装着され、且つ磁性体７を非磁性体に内蔵させて構成された磁性伝達部材６、８が設けられている。磁性伝達部材６、８は、リング状（環状）に形成されており、その中央の貫通孔（開口部分）６ａ、８ａにそれぞれヘッド３、５を個別に挿入するようにして装着される。ここで、ケーシング２のヘッド装着部２ｆに磁性伝達部材６、８を装着した状態では、磁性体７と磁石９とが対向するように配置されることになる。このような磁性伝達部材６、８を適用することで、磁性伝達部材６、８の表面に鉄粉などが付着してしまった場合でも、この磁性伝達部材６、８をケーシング２側から取り外すことで、その磁性が失われ、クリーニングなどのメンテナンスを容易に行うことができる。また、上記磁石９としては、ネオジウム磁石などが例示され、その磁力としては、例えば２００ｍＴ（２０００Ｇ）程度の磁力を発生させるものを適用することが望ましい。【００３２】
このように構成された本実施形態のトリートメント装置１によれば、振動させたヘッドを通じて動的な刺激を皮膚面に与える機械的なマッサージ効果と、皮膚細胞内の血流に磁力を作用させることによる血行の促進効果との相乗的作用により、優れた美肌効果や痩身効果を得ることができる。また、トリートメント装置１によれば、皮膚面に接触させたヘッドを当該皮膚面に沿った方向に動作させることによって、磁力による作用と振動による作用とを身体の所定部位に連続的に付与することができる。これにより、ヘッド３、５を振動させるための機構（超音波振動子３ａ、５ａなど）と磁界を発生させるための機構（磁石９や磁性伝達部材６、８）とを、ヘッド３、５本体の内部とヘッドの縁部（ヘッド３、５本体の外部）とのそれぞれに分断して配置することが可能になるので、ヘッド部分の部品レイアウトの自由度を向上させることができる。【００３３】
（第２の実施の形態）
次に、本発明の第２の実施の形態を図８ないし図１１に基づき説明する。ここで、図８は、この実施形態に係るトリートメント装置３１を、ヘッド部分を分解して示す正面図、図９は、このトリートメント装置３１を、ヘッド部分を分解して側面からみた断面図である。また、図１０は、このトリートメント装置３１にヘッド部分が取り付けられた状態を詳細に示す断面図、図１１は、このトリートメント装置３１の制御系を機能的に示す図である。【００３４】
図８ないし図１１に示すように、この実施形態に係るトリートメント装置３１は、第１の実施の形態のトリートメント装置１に設けられていたヘッド３、５に代えて、そのケーシング３２上にイオン導入用のヘッド３３を備えて構成されている。また、トリートメント装置３１のハンドリング部３２ａには、イオン導入用のヘッド（イオン導入電極）３３と対のグリップ電極（アース電極）３４が設けられている。また、本実施形態のトリートメント装置３１では、皮膚内部にイオン導入するための水溶性の有効成分としての化粧水や美容液を含浸させた美肌シート３７が適用される。さらに、本実施形態のトリートメント装置３１は、ヘッド３３と皮膚面との間に例えばコットン製の美肌シート３７が介在されたかたちでイオン導入を行えるように、後述する磁性伝達部材３６を通じて美肌シート３７がヘッド３３の前面に保持される。なお、美肌シート３７を用いずに、顔に化粧水や美容液を塗り、その上からヘッド３３を押し当てて水溶性の有効成分を顔の肌面に浸透させるようにしてもよい。ここで、有効成分とは、例えばプロビタミンＣ等が例示される。【００３５】
ここで、美肌対象の皮膚面に接触させるべきヘッド３３は、イオン導入電極として利用される。図１１に示すイオン導入回路４３は、操作キー４２を介してユーザから所定の入力操作を受けた場合に、コントローラ４０の制御下で、この電極たるヘッド３３にイオン導入のための電圧を印加する。詳細には、このコントローラ４０は、イオン導入回路４３を制御して、ヘッド３３がマイナス極（負極）、グリップ電極３４がプラス極（正極）になるように電圧を印加するマイナスモードと、ヘッド３３がプラス極（正極）、グリップ電極３４がマイナス極（負極）になるように電圧を印加するプラスモードとを少なくとも実行することが可能である。【００３６】
ここで、マイナスモードにおいて、電圧印加の形態をヘッド３３を基準に説明すると、連続的なマイナス直流電圧（負の一定電圧）の印加、マイナスパルス電圧（負側で電圧値が変動する直流のパルス電圧）の印加、又はマイナス交流電圧の印加等が例示される。この他、連続的なマイナス直流電圧とマイナスパルス電圧とを重畳させた電圧供給を行ってもよい。また、上記マイナスパルス電圧は、例えば１〜２００Ｈｚの周波数範囲内で例えば−２Ｖから−３６Ｖの間を電圧値が変動する矩形波である。一方、プラスモードにおいて、電圧印加の形態をヘッド３３を基準に説明すると、プラスパルス電圧（正側で電圧値が変動する直流のパルス電圧）の印加、又はプラス交流電圧の印加等が例示される。この他、連続的なプラス直流電圧（正の一定電圧）とプラスパルス電圧とを重畳させた電圧供給を行ってもよい。【００３７】
美肌シート３７に染み込ませる美容処理剤としては、各種のビタミンやセラミド、またコラーゲン（コラーゲンビーズなどを含む）や美白剤のような美容成分、各種化粧品として用いられている化粧成分、紫外線吸収剤や日焼け抑制剤、保湿剤、油分補給剤、炎症抑制剤のような皮膚保護成分等を含むもの、また場合によっては洗顔成分等を含むものが挙げられる。【００３８】
ここで、肌の状態が、例えば乾燥肌であって、シミやシワ等を除去したい場合には、マイナスモードを実行し、マイナスイオンを皮下組織に導入することで、皮膚細胞の活性化が図られて毛穴が開き、肌に潤いが与えられる。一方、肌質が脂性であってニキビ等を除去したい場合、プラスモードを実行することで、皮膚の細胞組織の鎮静化が図られて毛穴が閉じ、ニキビ等を除去できるとともに肌のきめが整えられる。また、トリートメント装置１では、例えばコットンに水を含浸させ、さらにイオン導入電極をプラス極性に印加することで、皮膚内から泥やホコリ等の汚れ成分を除去するクレンジング機能を実現できる。【００３９】
また、本実施形態のトリートメント装置３１にも、第１の実施形態のトリートメント装置１と同様の貫通孔３６ａを有し且つ磁性体７が内蔵された磁性伝達部材３６、及び磁石９を備えた磁界発生機構が設けられている。
したがって、本実施形態のトリートメント装置３１によれば、皮膚下に薬液や化粧液等をイオン導入させることによる有効成分の浸透効果と、皮膚細胞内の血流に磁力を作用させることによる血行の促進効果とが相まって効果的な美肌トリートメントを行うことができる。【００４０】
（第３の実施の形態）
図１２に示すように、この実施形態に係るトリートメント装置５１は、第２の実施の形態のトリートメント装置３１に設けられていたヘッド３３に代えて、そのケーシング５２上にヘッド５３を備えて構成されている。このヘッド５３の内部には、レーザ光を皮膚面に照射するレーザ照射機構として、レーザダイオード５４と、レーザダイオード５４を冷却するヒートシンク５８とを備える。また、このヘッド５３にも第１、第２の実施形態と同様に磁性体７が内蔵された磁性伝達部材５６が貫通孔５６ａを通じて装着されている。なお、レーザダイオード５４から放出されたレーザ光を導光して皮膚面に照射する棒型の導光レンズなどを設けてもよい。ヘッド５３の全面には、レーザ照射口５５を開口部として備えるキャップ５７が装着されており、このキャップ５７は、皮膚面との接触を検出してレーザ光の照射／非照射を制御するタッチセンサ機能なども付与されている。
したがって、この実施形態に係るトリートメント装置５１によれば、上述した皮膚細胞内の血流に磁力を作用させることによる血行の促進効果と、エネルギー密度の高い光であるレーザ光により皮膚組織を加温することで得られる新陳代謝の促進効果とを相乗的に付与することができるので、美肌処理効果のさらなる向上を図ることができる。【００４１】
（第４の実施の形態）
次に、本発明の第４の実施の形態を図１３ないし図１５に基づき説明する。ここで、図１３は、この実施形態に係るトリートメント装置７１を示す正面図、図１４は、このトリートメント装置７１を示す側面図、図１５は、トリートメント装置７１の制御系を機能的に示す図である。
図１３ないし図１５に示すように、この実施形態に係るトリートメント装置７１は、第１の実施形態のトリートメント装置１が備えていたヘッドを超音波振動させる機構及び磁界発生機構と、第２の実施形態のトリートメント装置３１が備えていたイオン導入機構とを備え、さらに、皮膚面に通電による電気的な刺激を付与する通電刺激用電極としてヘッドを機能させる通電刺激機構（低周波刺激機能）を有している。【００４２】
すなわち、トリートメント装置７１には、図１３及び図１４に示すように、その外郭を形成するケーシング７２の一端部に、ユーザが把持するハンドリング部（把持部）７２ａが形成されている。ケーシング７２の他端部の前面（正面）には、トリートメント対象の皮膚面に接触させるヘッド７３が設けられている。このヘッド７３は、例えば、非磁性体で形成されたヘッド台座部７５を備える。このヘッド台座部７５には、その前面（正面）側に僅かに凸になるように一対の兼用電極７３ａ及び兼用電極７３ｂが設けられている。また、ヘッド台座部７５における兼用電極７３ａの周縁部を保持している部位には、例えば二つの磁石（永久磁石）９が埋設されている。また、兼用電極７３ａには、超音波振動子７３ｃが内蔵されている。【００４３】
一方、ケーシング７２のハンドリング部７２ａにおける背面部分には、ユーザの手のひらと接触するグリップ電極７４が設けられている。また、ケーシング７２の全面には、主電源のＯＮ／ＯＦＦや各種設定を行うための操作ボタン８１と、この操作ボタン８１によって設定されたトリートメント装置７１の動作モードなどを表示するＬＥＤランプ８０とが設けられている。この操作ボタン８１としては、電源スイッチ７６と、超音波振動機能、イオン導入機能、通電刺激（低周波刺激）機能などを選択的に切り替えるモード選択スイッチ７８、７９と、ある動作モードでの供給電流などを定量的に可変するリフトスイッチ７７とが用意されている。【００４４】
ここで、トリートメント装置７１の制御系について主に図１５に基づきその説明を行う。
すなわち、トリートメント装置７１は、低周波供給回路８３と、イオン導入回路８４と、高周波信号発生回路８５と、操作ボタン８１を介してのユーザによる各種入力操作に基づいて、各部を統括的に制御するコントローラ８２とを備える。【００４５】
イオン導入回路８４は、ユーザからの入力操作によってイオン導入モードに設定されると、コントローラ８２の制御下において、第２の実施形態のトリートメント装置３１のイオン導入用のヘッド（イオン導入電極）に相当する電極として、兼用電極７３ａと兼用電極７３ｂとを共に選択し互いを同一の電位に設定する。さらに、トリートメント装置３１のグリップ電極（アース電極）３４に相当する電極として、グリップ電極７４を選択する。イオン導入回路８４は、兼用電極７３ａ、７３ｂとグリップ電極７４との間に、第２の実施形態と同様の電圧印加を行いイオン導入機能を実現する。【００４６】
また、高周波信号発生回路８５は、ユーザからの入力操作により超音波振動モードに設定されると、コントローラ８２の制御下で、超音波振動子７３ｃを駆動し、ヘッド７３における兼用電極７３ａを、第１、第２の実施形態と同様に超音波振動させる。さらに、低周波供給回路８３は、ユーザからの入力操作により通電刺激（低周波刺激）モードに設定されると、コントローラ８２の制御下で、兼用電極７３ａと兼用電極７３ｂとを選択して、これらの電極間に所定の電圧を印加する。ここで、低周波供給回路８３は、例えば周波数が０．１ｋＨｚ〜１ｋＨｚで、さらに電流値が１ｍＡ〜１００ｍＡのパルス電流などを供給することが可能である。この通電刺激モードでは、皮膚面にそれぞれ接触させた兼用電極７３ａと兼用電極７３ｂとの間に、低周波の微弱電流が供給され、各電極を接触させた皮膚面には、低周波刺激による美肌処理効果が付与される。【００４７】
したがって、本実施形態のトリートメント装置７１によれば、上記した超音波振動作用、イオン導入作用、低周波刺激作用のうちから選択的に付与されるトリートメント効果と、皮膚細胞内の血流に磁力を作用させることによる血行の促進効果との相乗効果により、良好な美肌処理効果や痩身効果を得ることができる。【００４８】
以上、本発明を各実施の形態により具体的に説明したが、本発明はこれらの実施形態にのみ限定されるものではなく、その要旨を逸脱しない範囲で種々変更可能である。例えば、上述した実施形態では、磁界の発生源に永久磁石を用いていたが、これに代えて電磁石を適用してもよい。
【産業上の利用可能性】
【００４９】
本発明は、電子・電機機器製造業などにおいて広く利用することができる。
【図１】
0004633795.tif 000002
【図２】
0004633795.tif 000003
【図３】
0004633795.tif 000004
【図４】
0004633795.tif 000005
【図５】
0004633795.tif 000006
【図６】
0004633795.tif 000007
【図７】
0004633795.tif 000008
【図８】
0004633795.tif 000009
【図９】
0004633795.tif 000010
【図１０】
0004633795.tif 000011
【図１１】
0004633795.tif 000012
【図１２】
0004633795.tif 000013
【図１３】
0004633795.tif 000014
【図１４】
0004633795.tif 000015
【図１５】
0004633795.tif 000016